(57)【要約】【課題】電気信号を光信号に変換する前に信号が劣化して通信エラーを生じさせることを防止する。【解決手段】電気信号を受信する第１通信部と、前記第１通信部が受信した電気信号を光信号に変換する変換部と、前記第１通信部が受信した電気信号を補正する第１補正部と、前記第１補正部が補正した電気信号の誤りが目標値となっているか否かを判定する第１判定部と、前記電気信号の誤りが目標値となっていると前記第１判定部が判定した場合に、受信した電気信号を前記変換部が光信号に変換するよう制御する第１制御部と、を有する。【選択図】図３
2014175940.tif 000002
【特許請求の範囲】
【請求項１】
電気信号を受信する第１通信部と、
前記第１通信部が受信した電気信号を光信号に変換する変換部と、
前記第１通信部が受信した電気信号を補正する第１補正部と、
前記第１補正部が補正した電気信号の誤りが目標値となっているか否かを判定する第１判定部と、
前記電気信号の誤りが目標値となっていると前記第１判定部が判定した場合に、受信した電気信号を前記変換部が光信号に変換するよう制御する第１制御部と、
を有することを特徴とする変換器。
【請求項２】
前記電気信号の誤りが目標値となっていないと前記第１判定部が判定した場合に、前記第１補正部の信号補正に対する設定を変更する第１変更部をさらに有すること
を特徴とする請求項１に記載の変換器。
【請求項３】
前記第１通信部は、
誤りが目標値となっていると前記第１判定部が判定するまで固定信号パターンである電気信号を受信し、
前記第１判定部は、
前記固定信号パターンである電気信号の誤りが目標値となっているか否かを判定すること
を特徴とする請求項１又は２に記載の変換器。
【請求項４】
前記第１通信部は、
少なくとも受信した電気信号を前記変換部が光信号に変換するように前記第１制御部が制御するまで、受信した固定信号パターンである電気信号を返送すること
を特徴とする請求項３に記載の変換器。
【請求項５】
通信プロトコルがＰＣＩ  ＥＸＰＲＥＳＳに準拠していること
を特徴とする請求項１乃至４のいずれか１項に記載の変換器。
【請求項６】
請求項４に記載の変換器と、
電気信号を送受信する第２通信部と、
少なくとも電気信号を前記変換部が光信号に変換するように前記第１制御部が制御するまで前記第２通信部に固定信号パターンである電気信号を送信させるとともに、前記第１通信部が返送した固定信号パターンである電気信号を前記第２通信部が受信するよう制御する前記第２制御部と、
前記第２通信部が受信した電気信号を補正する第２補正部と、
前記第２補正部が補正した電気信号の誤りが目標値となっているか否かを判定する第２判定部と、
前記電気信号の誤りが目標値となっていないと前記第２判定部が判定した場合に、前記第２補正部の信号補正に対する設定を変更する第２変更部と、
を有することを特徴とする通信装置。
【請求項７】
電気信号を受信する工程と、
受信した電気信号を補正する工程と、
補正した電気信号の誤りが目標値となっているか否かを判定する工程と、
前記電気信号の誤りが目標値となっていると判定した場合に、受信した電気信号を光信号に変換するよう制御する工程と、
を含むことを特徴とする通信方法。
【発明の詳細な説明】
【技術分野】
【０００１】
本発明は、変換器、通信装置及び通信方法に関する。
【背景技術】
【０００２】
デジタル光通信においては、２値論理の電気信号を光送信器によって光信号に変換し、光ファイバを経由して光信号を伝送し、光受信器によって光信号を２値論理の電気信号に変換することが知られている。また、ＰＣＩ  ＥＸＰＲＥＳＳ（登録商標）などの高速シリアル通信は、高いデータ転送速度と様々なアプリケーションに適合できる柔軟性を兼ね備え、様々なデバイスに広く利用されている。
【０００３】
一方、高速シリアル通信システムでは、データ転送速度の上昇に伴い、通信経路を伝搬する間の信号劣化が顕著になり、劣化要因に応じた対策が必須となっている。信号品質を改善する手法としては、送信側及び受信側においてイコライゼーションを行うことにより、伝送路における損失分を補う方法が一般的である。また、信号の損失分を補う方法は、規格の仕様として定められている場合もある。
【０００４】
また、特許文献１には、データ値を識別するためのデータ識別レベルに基づいて、光信号から変換された電気的なデータ信号が有するデータ値を識別する際に、光信号の強度に関連付けられた強度信号を発生して、強度信号に関連付けてデータ識別レベルを調整する光受信器が開示されている。
【発明の概要】
【発明が解決しようとする課題】
【０００５】
しかしながら、電気信号を光信号に変換する前の段階に生じた信号劣化は十分に補正できず、エラーが増大するという問題があった。
【０００６】
本発明は、上記に鑑みてなされたものであって、電気信号を光信号に変換する前に信号が劣化して通信エラーを生じさせることを防止することができる変換器、通信装置及び通信方法を提供することを目的とする。
【課題を解決するための手段】
【０００７】
上述した課題を解決し、目的を達成するために、本発明は、電気信号を受信する第１通信部と、前記第１通信部が受信した電気信号を光信号に変換する変換部と、前記第１通信部が受信した電気信号を補正する第１補正部と、前記第１補正部が補正した電気信号の誤りが目標値となっているか否かを判定する第１判定部と、前記電気信号の誤りが目標値となっていると前記第１判定部が判定した場合に、受信した電気信号を前記変換部が光信号に変換するよう制御する第１制御部と、を有することを特徴とする。
【発明の効果】
【０００８】
本発明によれば、電気信号を光信号に変換する前に信号が劣化して通信エラーを生じさせることを防止することができるという効果を奏する。
【図面の簡単な説明】
【０００９】
【図１】図１は、第１の実施形態にかかる通信装置の概略を例示する概略図である。
【図２】図２は、第１の実施形態にかかる通信装置のハードウェア構成を示す構成図である。
【図３】図３は、第１の実施形態にかかる通信装置が有する機能を示す機能ブロック図である。
【図４】図４は、第１の実施形態にかかる通信装置の動作例を示すフローチャートである。
【図５】図５は、第２の実施形態にかかる通信装置の概略を例示する概略図である。
【図６】図６は、第２の実施形態にかかる通信装置のハードウェア構成を示す構成図である。
【図７】図７は、第２の実施形態にかかる通信装置が有する機能を示す機能ブロック図である。
【図８】図８は、第２の実施形態にかかる通信装置の動作例を示すフローチャートである。
【発明を実施するための形態】
【００１０】
以下に添付図面を参照して、実施形態にかかる光送受信器（変換器）及び通信装置について説明する。
【００１１】
（第１の実施形態）
図１は、第１の実施形態にかかる通信装置１の概略を例示する概略図である。図１に示すように、通信装置１は、例えばコントローラ（ＳｅｒＤｅｓ）２及び光トランシーバ３を有し、例えばＰＣＩ  ＥＸＰＲＥＳＳ３．０の仕様に準拠した通信プロトコルで通信を行う。コントローラ２は、例えばＳｅｒＤｅｓ（SERializer/DESerializer）回路を備えた制御ＩＣであり、電気信号を光トランシーバ３との間で送受信することにより、光トランシーバ３及び光ファイバを介して他の装置と通信を行う。光トランシーバ（光送受信器：変換器）３は、光電（Ｏ／Ｅ）変換及び電光（Ｅ／Ｏ）変換を行い、光ファイバを介して接続された装置との間でデジタル光通信を行う。
【００１２】
まず、通信装置１の動作の概略について説明する。コントローラ２は、既知の固定信号パターンを出力する（Ａ→Ｂ）。光トランシーバ３は、入力される既知の固定信号パターンを用いてＢＥＲ（Bit  error  rate）といった電気信号の誤りを計算し、最もＢＥＲが小さくなるようにイコライザ設定を最適化する。そして、光トランシーバ３は、イコライザ設定の最適化が完了したら、コントローラ２による固定信号パターンの出力を止め、電光変換を行って光信号を出力して通信を開始する（Ｃ）。
【００１３】
次に、図２〜４を用いて通信装置１の詳細を説明する。図２は、通信装置１のハードウェア構成を示す構成図である。コントローラ２は、プロトコル制御部２０、第２レジスタ２１、Ｓ−Ｐ（シリアル／パラレル）変換部２２及びトランシーバ２３を有し、光トランシーバ３を制御する。コントローラ２は、外部（又は内部）に記憶部としてのＥＥＰＲＯＭが設けられている。また、コントローラ２は、内部又は外部のいずれかにＣＰＵ及びメモリ（図示せず）が設けられてもよい。
【００１４】
プロトコル制御部２０は、例えばＰＣＩｅプロトコル制御ブロックである。第２レジスタ２１は、プリセットなどを記憶する記憶部である。第２レジスタ２１は、任意の転送速度やレーン数でリンクしたか否かを示すステータスレジスタを含む。また、第２レジスタ２１は、送信側（ＴＸ）及び受信側（ＲＸ）のイコライゼーションを調節するための情報を記憶するレジスタを含む。
【００１５】
Ｓ−Ｐ変換部２２は、シリアル信号をパラレル信号に変換するとともに、パラレル信号をシリアル信号に変換する。トランシーバ２３は、ＰＣＩｅトランシーバであり、電気信号の差動信号で送受信を光トランシーバ３との間で行う。
【００１６】
光トランシーバ３は、電光変換部３０、送信処理部３１、光電変換部３２、受信処理部３３、第１レジスタ３４及びＩ２Ｃコントローラ３５を有する。電光変換部３０は、発光部（ＬＤ）及び駆動回路（ＬＤＤ）を含み、光信号の送信信号ＴＸを出力する。送信処理部３１は、差動信号の送信信号ＴＸを受入れ、それぞれの差をとって１つの電気信号である送信信号ＴＸを電光変換部３０に対して出力する。
【００１７】
光電変換部３２は、受光部（ＰＤ）及び増幅器（Ａｍｐ）を含み、光信号の受信信号ＲＸを受入れ、電気信号の受信信号ＲＸを受信処理部３３に対して出力する。受信処理部３３は、１つの電気信号である受信信号ＲＸを受入れ、第１レジスタ３４が記憶する設定情報に応じて差動の受信信号ＲＸをコントローラ２に対して出力する。
【００１８】
例えば、第１レジスタ３４は、光トランシーバ３が出力する電気信号及び光信号の強度を調節するための情報を記憶するレジスタを含む。
【００１９】
Ｉ２Ｃコントローラ３５は、送信処理部３１及び受信処理部３３よりも遅い速度の通信をコントローラ２との間で行う。
【００２０】
次に、通信装置１が有する機能について説明する。図３は、通信装置１が有する機能を示す機能ブロック図である。通信装置１は、図１を用いて説明したハードウェア構成により、図３に示した機能を実現する。図３に示すように、光トランシーバ３は、第１通信部５０、第１補正部５１、第１変更部５２、第１判定部５３、第１記憶部５４及び第１制御部５５を有する。第１制御部５５は、図３に示した各機能ブロックを制御する。また、コントローラ２は、第２通信部４０及び第２制御部４５を有する。
【００２１】
第１通信部５０は、送信処理部３１及び受信処理部３３などによって構成される。そして、第１通信部５０は、第２通信部４０との間で電気信号による通信を行う。
【００２２】
第１補正部５１は、第１レジスタ３４などにより構成される。そして、第１補正部５１は、送受信信号の信号補正を行う。
【００２３】
第１変更部５２は、例えばプログラム及び第１レジスタ３４などにより構成される。そして、第１変更部５２は、第１補正部５１が行う送信信号の信号補正及び受信信号の信号補正に対する設定を変更する。具体的には、第１変更部５２は、第１レジスタ３４が記憶する送信側のイコライゼーションを設定するための設定情報を用いて、第１補正部５１が行う送信信号の信号補正に対する設定を変更する。また、第１変更部５２は、ＣＴＬＥのオン・オフ（受信信号の通過又はバイパス）やアッテネータやブースターのゲイン、又はＤＦＥのタップ数やタップ係数の変更などを行うことにより、受信信号の信号補正に対する設定を変更する。
【００２４】
第１判定部５３は、例えばプログラムなどにより構成される。そして、第１判定部５３は、第１変更部５２が変更した設定により第１補正部５１が信号補正する電気信号での通信におけるＢＥＲが最小（目標値達成）となっているか否かを判定する。
【００２５】
第１記憶部５４は、メモリなどにより構成される。そして、第１記憶部５４は、第１変更部５２が変更した設定などを記憶する。
【００２６】
第２通信部４０は、トランシーバ２３などによって構成される。そして、第２通信部４０は、第１通信部５０との間で電気信号による通信を行う。
【００２７】
第２制御部４５は、コントローラ２を構成する各部を制御する。
【００２８】
次に、通信装置１の動作例について説明する。まず第１に、コントローラ２は、既知の固定信号パターンを出力する。固定信号パターンは、例えば予め定められた信号パターン又は通信プロトコルによって規定されている信号パターンである。ＰＣＩ  ＥＸＰＲＥＳＳにおいては、コンプライアンスパターンと呼ばれる既知の信号パターンがある。
【００２９】
コンプライアンスパターンを出力させるためには、コントローラ２の第２レジスタにおけるLink  Control  ２レジスタのEnter  Compliance  bitが１となるように設定する。この設定は、ＥＥＰＲＯＭ２４又はＩ２Ｃコントローラ３５を用いて行う。又は、光トランシーバ３からコントローラ２への通信により、Compliance  Receive  bit（bit  ４  of  Symbol５）を１とし、Loopback  bit（bit  ２  of  Symbol  ５）を０としたTS1  Ordered  Setsを送信すればよい。
【００３０】
第２に、光トランシーバ３は、入力される既知の固定信号パターンを用いてＢＥＲを計算し、最もＢＥＲが小さくなるようにイコライザ設定を最適化する。光トランシーバ３は、入力される信号パターンが既知であるため、容易にエラー発生の有無を判定することができる。なお、光トランシーバ３は、ＢＥＲを測定するために、固定信号パターンの始まりを検出する必要がある。ここで、固定信号パターンをＰＣＩ  ＥＸＰＲＥＳＳにおけるCOM  Symbolなどの容易に判別がつく信号パターンにしておくことにより、光トランシーバ３は、容易に固定信号パターンの始まりを検出することが可能となる。
【００３１】
イコライザ設定の最適化は、全設定を試行し、その中で最もＢＥＲが小さくなる設定を選択するという手順でなされてもよいし、予めＢＥＲの目標値を設定しておき、目標値を達成した場合にイコライザ設定の最適化を終了するという手順でなされてもよい。なお、通信装置１は、誤作動防止や低消費電力化のために、イコライザ設定の最適化を行っている間には、電光変換を行わず、光信号の出力を止められておくことが望ましい。
【００３２】
第３に、光トランシーバ３は、イコライザ設定の最適化が完了したら、固定信号パターンの出力を止め、電光変換を行い、光信号を出力して通信を開始する。イコライザ設定の最適化を完了させるために、光トランシーバ３は、完了のフラグを立てる。そして、コントローラ２は、光トランシーバ３が立てたフラグを読取って固定信号パターンの出力を止める。また、ＰＣＩ  ＥＸＰＲＥＳＳにおいては、光トランシーバ３がＩ２Ｃコントローラ３５によってコントローラ２のLink  Control  ２レジスタのEnter  Compliance  bitを０にするようにされてもよい。また、光トランシーバ３がコントローラ２へElectrical  Idle  exitを送信することによって固定信号パターンの出力を止めてもよい。
【００３３】
図４は、通信装置１の動作例を示すフローチャートである。図４に示すように、通信装置１は、電源がＯＮにされると、ステップ１００（Ｓ１００）において、第２通信部４０が第１通信部５０へ既知の固定信号パターンを出力する。
【００３４】
ステップ１０２（Ｓ１０２）において、第１補正部５１が入力信号を補正した後、第１判定部５３は、ＢＥＲを計算する。
【００３５】
ステップ１０４（Ｓ１０４）において、第１判定部５３は、ＢＥＲが最小（目標値達成）となっているか否かを判定する。第１判定部５３は、ＢＥＲが最小となっていないと判定した場合（Ｓ１０４：Ｎｏ）には、Ｓ１０６の処理に進む。また、第１判定部５３は、ＢＥＲが最小となっていると判定した場合（Ｓ１０４：Ｙｅｓ）には、Ｓ１０８の処理に進む。
【００３６】
ステップ１０６（Ｓ１０６）において、第１変更部５２は、信号補正に関する設定値を変更し、Ｓ１０２の処理に進む。
【００３７】
ステップ１０８（Ｓ１０８）において、第１制御部５５は、第２通信部４０の固定信号パターン出力を止める。
【００３８】
ステップ１１０（Ｓ１１０）において、コントローラ２及び光トランシーバ３は、第１通信部５０と第２通信部４０を通常の通信時の動作にする。そして、通信装置１は、光ファイバを介して他の装置との通信を開始する。
【００３９】
このように、コントローラ２と光トランシーバ３との間の信号劣化を防止することにより、電気信号を光信号に変換する前に信号が劣化して通信エラーを生じさせることを防止することができる。
【００４０】
（第２の実施形態）
図５は、第２の実施形態にかかる通信装置１ａの概略を例示する概略図である。図５に示すように、通信装置１ａは、例えばコントローラ（ＳｅｒＤｅｓ）２ａ及び光トランシーバ３ａを有し、例えばＰＣＩ  ＥＸＰＲＥＳＳ３．０の仕様に準拠した通信プロトコルで通信を行う。コントローラ２ａは、例えばＳｅｒＤｅｓ（SERializer/DESerializer）回路を備えた制御ＩＣであり、電気信号を光トランシーバ３ａとの間で送受信することにより、光トランシーバ３ａ及び光ファイバを介して他の装置と通信を行う。光トランシーバ（光送受信器）３ａは、光電（Ｏ／Ｅ）変換及び電光（Ｅ／Ｏ）変換を行い、光ファイバを介して接続された装置との間でデジタル光通信を行う。
【００４１】
まず、通信装置１ａの動作の概略について説明する。コントローラ２ａは、既知の固定信号パターンを出力する（Ａ→Ｂ）。光トランシーバ３ａは、入力される既知の固定信号パターンを用いてＢＥＲ（Bit  error  rate）を計算し、最もＢＥＲが小さくなるようにイコライザ設定を最適化する。そして、光トランシーバ３ａは、固定パターンをコントローラ２ａに対して返送する（Ｃ→Ｄ）。コントローラ２ａは、入力される既知の固定信号パターンを用いてＢＥＲ（Bit  error  rate）を計算し、最もＢＥＲが小さくなるようにイコライザ設定を最適化する。そして、コントローラ２ａは、それぞれのイコライザ設定の最適化が完了したら、固定信号パターンの出力を止める。光トランシーバ３ａは、電光変換を行って光信号を出力して通信を開始する（Ｅ）。
【００４２】
次に、図６〜８を用いて通信装置１ａの詳細を説明する。図６は、通信装置１ａのハードウェア構成を示す構成図である。なお、図６に示した通信装置１ａの構成部分のうち、図２に示した構成部分と実質的に同じものには、同じ符号が付してある。
【００４３】
送信処理部３１ａは、図２に示した送信処理部３１の機能に加えて、トランシーバ２３から受信した固定信号パターンを、パスＰを介して受信処理部３３ａに対して出力する。受信処理部３３ａは、図２に示した受信処理部３３の機能に加えて、送信処理部３１ａから入力された固定信号パターンをトランシーバ２３に対して出力する機能を有する。
【００４４】
次に、通信装置１ａが有する機能について説明する。図７は、通信装置１ａが有する機能を示す機能ブロック図である。通信装置１ａは、図６を用いて説明したハードウェア構成により、図７に示した機能を実現する。なお、図７に示した通信装置１ａの構成部分のうち、図３に示した構成部分と実質的に同じものには、同じ符号が付してある。
【００４５】
図７に示すように、コントローラ２ａは、第２通信部４０、第２補正部４１、第２変更部４２、第２判定部４３、第２記憶部４４及び第２制御部４５を有する。第１制御部５５は、図３に示した各機能ブロックを制御する。また、コントローラ２は、第２通信部４０及び第２制御部４５を有する。
【００４６】
第２補正部４１は、第２レジスタ２１などにより構成される。そして、第２補正部４１は、送受信信号の信号補正を行う。
【００４７】
第２変更部４２は、例えばプログラム及び第２レジスタ２１などにより構成される。そして、第２変更部４２は、第２補正部４１が行う送信信号の信号補正及び受信信号の信号補正に対する設定を変更する。具体的には、第２変更部４２は、第２レジスタ２１が記憶する送信側のイコライゼーションを設定するための設定情報を用いて、第２補正部４１が行う送信信号の信号補正に対する設定を変更する。また、第２変更部４２は、ＣＴＬＥのオン・オフ（受信信号の通過又はバイパス）やアッテネータやブースターのゲイン、又はＤＦＥのタップ数やタップ係数の変更などを行うことにより、受信信号の信号補正に対する設定を変更する。
【００４８】
第２判定部４３、例えばプログラムなどにより構成される。そして、第２判定部４３は、第２変更部４２が変更した設定により第２補正部４１が信号補正する電気信号での通信におけるＢＥＲが最小（目標値達成）となっているか否かを判定する。
【００４９】
第２記憶部４４は、メモリなどにより構成される。そして、第２記憶部４４は、第２変更部４２が変更した設定などを記憶する。
【００５０】
次に、通信装置１ａの動作例について説明する。まず第１に、コントローラ２ａは、既知の固定信号パターンを出力する。固定信号パターンの出力方法は、第１の実施形態と同様である。
【００５１】
第２に、光トランシーバ３ａは、入力される既知の固定信号パターンを用いてＢＥＲを計算し、最もＢＥＲが小さくなるようにイコライザ設定を最適化する。イコライザの最適化の手順は、第１の実施形態と同様である。
【００５２】
第３に、光トランシーバ３ａは、入力された既知の固定信号パターンをそのまま（光トランシーバ３ａでのイコライザは経由する）コントローラ２ａへ返送する。ここで、光トランシーバ３ａは、上述したパスＰを用いてコントローラ２ａへ固定信号パターンを返送する。この場合、光トランシーバ３ａは、光電気変換を止めておく。従って、光トランシーバ３ａに対して光信号が入力されたとしても、光信号が固定信号パターンへ影響を与えることはない。
【００５３】
第４に、コントローラ２ａは、返送されてきた固定信号パターンを用いてＢＥＲを計算し、最もＢＥＲが小さくなるようにコントローラ２ａのイコライザ設定を最適化する。イコライザの最適化の手順は、第１の実施形態と同様である。
【００５４】
また、コントローラ２ａは、コントローラ２ａのＢＥＲ情報などをＩ２Ｃコントローラ３５を介して光トランシーバ３ａへ送信することにより、光トランシーバ３ａの出力信号振幅やディエンファシスなども最適化するように構成されてもよい。
【００５５】
第５に、コントローラ２ａは、イコライザ設定の最適化が完了したら、固定信号パターンの出力を止める。そして、光トランシーバ３ａは、電光変換を行い、光信号を出力して通信を開始する。ここで、上述したパスＰは、信号を返送しないように切替えられる。
【００５６】
図８は、通信装置１ａの動作例を示すフローチャートである。なお、図８に示した通信装置１ａの処理のうち、図４に示した処理と実質的に同じものには、同じ符号が付してある。
【００５７】
ステップ２００（Ｓ２００）において、第１通信部５０は、第２通信部４０へ固定信号パターンを返送する。
【００５８】
ステップ２０２（Ｓ２０２）において、第２補正部４１が入力信号を補正した後、第２判定部４３は、ＢＥＲを計算する。
【００５９】
ステップ２０４（Ｓ２０４）において、第２判定部４３は、ＢＥＲが最小（目標値達成）となっているか否かを判定する。第２判定部４３は、ＢＥＲが最小となっていないと判定した場合（Ｓ２０４：Ｎｏ）には、Ｓ２０６の処理に進む。また、第２判定部４３は、ＢＥＲが最小となっていると判定した場合（Ｓ２０４：Ｙｅｓ）には、Ｓ２０８の処理に進む。
【００６０】
ステップ２０６（Ｓ２０６）において、第２変更部４２は、信号補正に関する設定値を変更し、Ｓ２０２の処理に進む。
【００６１】
ステップ２０８（Ｓ２０８）において、第２制御部４５は、第２通信部４０の固定信号パターン出力を止める。
【００６２】
このように、コントローラ２ａにおいても信号劣化を防止することにより、電気信号を光信号に変換する前に信号が劣化して通信エラーを生じさせることを防止することができる。
【符号の説明】
【００６３】
１、１ａ  通信装置
２、２ａ  コントローラ
３、３ａ  光トランシーバ
２０  プロトコル制御部
２１  第２レジスタ
２２  Ｓ−Ｐ変換部
２３  トランシーバ
２４  ＥＥＰＲＯＭ
３０  電光変換部
３１、３１ａ  送信処理部
３２  光電変換部
３３、３３ａ  受信処理部
３４  第１レジスタ
３５  Ｉ２Ｃコントローラ
４０  第２通信部
４１  第２補正部
４２  第２変更部
４３  第２判定部
４４  第２記憶部
４５  第２制御部
５０  第１通信部
５１  第１補正部
５２  第１変更部
５３  第１判定部
５４  第１記憶部
５５  第１制御部
【先行技術文献】
【特許文献】
【００６４】
【特許文献１】特許第４０３２５３１号公報
【図１】
2014175940.tif 000003
【図２】
2014175940.tif 000004
【図３】
2014175940.tif 000005
【図４】
2014175940.tif 000006
【図５】
2014175940.tif 000007
【図６】
2014175940.tif 000008
【図７】
2014175940.tif 000009
【図８】
2014175940.tif 000010